(57)【要約】      （修正有）【課題】トナーとドラムとを別々のカートリッジとし、分離して交換可能な画像形成装置において、トナーやドラムのカートリッジの交換に係るメッセージの表示がわかりやすい画像形成装置を提供する。【解決手段】トナーカートリッジと分離しているドラムカートリッジのうち、ドラムの劣化が発生して交換対象と判定された複数のドラムカートリッジをそれぞれ識別する識別情報を一の画面で表示部に表示し、ユーザに交換を促すようにする。【選択図】図２
2018180093.tif 000002
【特許請求の範囲】
【請求項１】
トナーカートリッジと分離しているドラムカートリッジのうち交換が必要なドラムカートリッジの本数を取得する取得手段と、
前記本数を一の画面で表示部に表示する表示手段と、
を有する画像形成装置。
【請求項２】
前記表示手段は、ドラムカートリッジの交換時は交換対象の複数のドラムカートリッジをそれぞれ識別する識別情報を一の画面で前記表示部に表示する請求項１記載の画像形成装置。
【請求項３】
ドラムが共通品か否かを判定する第１の判定手段を更に有し、
前記第１の判定手段によりドラムが共通品であると判定された場合、前記取得手段は、前記交換が必要なドラムカートリッジの本数を取得し、前記表示手段は、前記本数を一の画面で前記表示部に表示する請求項１又は２記載の画像形成装置。
【請求項４】
前記第１の判定手段によりドラムが共通品でないと判定された場合、前記表示手段は、交換が必要なドラムカートリッジごとに交換を促す画面を前記表示部に表示する請求項３記載の画像形成装置。
【請求項５】
単色印刷か否かを判定する第２の判定手段を更に有し、
前記第２の判定手段により単色印刷であると判定された場合、前記取得手段は、前記交換が必要なドラムカートリッジの本数を取得し、前記表示手段は、前記本数を一の画面で前記表示部に表示する請求項１又は２記載の画像形成装置。
【請求項６】
前記第２の判定手段により単色印刷でないと判定された場合、ブラックドラムカートリッジ以外のドラムカートリッジで交換の必要があるカートリッジがあるか否かを判定する第３の判定手段を更に有し、
前記第３の判定手段によりブラックドラムカートリッジ以外のドラムカートリッジで交換の必要があるカートリッジがあると判定された場合、前記表示手段は、前記トナーカートリッジと分離しているドラムカートリッジのうちブラックドラムカートリッジ以外のドラムカートリッジの本数を一の画面で前記表示部に表示する請求項５記載の画像形成装置。
【請求項７】
画像形成装置が実行する情報処理方法であって、
トナーカートリッジと分離しているドラムカートリッジのうち交換が必要なドラムカートリッジの本数を取得する取得工程と、
前記本数を一の画面で表示部に表示する表示工程と、
を含む情報処理方法。
【請求項８】
コンピュータを、請求項１乃至６何れか１項記載の画像形成装置の各手段として機能させるためのプログラム。
【発明の詳細な説明】
【技術分野】
【０００１】
本発明は、画像形成装置、情報処理方法及びプログラムに関する。
【背景技術】
【０００２】
レーザープリンタやレーザー複合機は、文字や絵を描くための粉末であるトナーを感光体ドラム（以下、ドラムと呼ぶ）と呼ばれるローラーにのせて印刷用紙を押し付けることで印刷を行う。
トナーやドラムはカートリッジと呼ばれる容器に入っており、トナーとドラムとが１つのカートリッジに入っているもの（以下、一体型カートリッジという）が存在する。
モノクロ印刷のレーザープリンタであれば、ブラックのみのカートリッジで構成されるが、カラー印刷のレーザープリンタであれば、ブラック、シアン、マゼンタ、イエローと呼ばれる４色のカートリッジで構成される。
レーザープリンタは、トナー残量が少なくなるか、ドラムの劣化が発生して、交換時期が近づいた場合、交換を促すメッセージ表示を行う。この際、カラーの一体型カートリッジであれば、レーザープリンタは、ブラック、シアン、マゼンタ、イエローの４つの一体型カートリッジの交換のメッセージを表示する。
特許文献１には、交換を促すメッセージが１つの場合と複数の場合とで表示を切り替え、複数の場合は一覧表示する画像形成装置が開示されている。
【先行技術文献】
【特許文献】
【０００３】
【特許文献１】特開２００６−１３３４９４号公報
【発明の概要】
【発明が解決しようとする課題】
【０００４】
しかし、トナーとドラムとを別々のカートリッジとし、分離して交換可能な画像形成装置の場合に以下の課題が生じる。
例えば、このような画像形成装置は、カラーの分離型カートリッジで４色の交換時期が近づいた場合、８つのメッセージを交互又は同時に表示するため、表示部が見えにくくなり、交換が必要なカートリッジが判別しにくくなる。
【課題を解決するための手段】
【０００５】
本発明の画像形成装置は、トナーカートリッジと分離しているドラムカートリッジのうち交換が必要なドラムカートリッジの本数を取得する取得手段と、前記本数を一の画面で表示部に表示する表示手段と、を有する。
【発明の効果】
【０００６】
本発明によれば、ドラムのカートリッジの交換に係るメッセージの表示をわかりやすくすることができる。
【図面の簡単な説明】
【０００７】
【図１】レーザープリンタのハードウェア構成の一例を示す図である。
【図２】操作部の液晶表示部へ交換を促すメッセージを示す図である。
【図３】第１の実施形態の表示に係る情報処理の一例を示すフローチャートである。
【図４】第２の実施形態の表示に係る情報処理の一例を示すフローチャートである。
【図５】第３の実施形態の表示に係る情報処理の一例を示すフローチャートである。
【発明を実施するための形態】
【０００８】
以下の説明では、画像形成装置の一例としてレーザープリンタについて説明するが、画像形成装置はレーザー複合機のような他の装置であってもよい。
以下、本発明の実施形態について図面に基づいて説明する。
【０００９】
＜第１の実施形態＞
図１は、レーザープリンタ１００のハードウェア構成の一例を示す図である。
レーザープリンタ１００は、ブラック、シアン、マゼンタ、イエローの４色のトナーを使用してカラー印刷を行う。
レーザープリンタ１００は、ハードウェア構成として、ＣＰＵ１０１、操作部１０２、操作部  Ｉ／Ｆ１０３、プリントエンジン部１０４、ＲＯＭ１０５、ＲＡＭ１０６、不揮発性メモリ１０７、ＬＡＮ  Ｉ／Ｆ１０８を有する。
ＣＰＵ１０１は、レーザープリンタ１００の全体を制御する。操作部１０２は、タッチパネル機能を有する液晶表示部とキーボードとを有し、ＣＰＵ１０１の制御に基づきメッセージ等を液晶表示部に表示すると共に、液晶表示部やキーボード等を介した操作者による設定操作に係る情報等をＣＰＵ１０１に入力する。操作部１０２、又は操作部１０２の液晶表示部は、表示部の一例である。操作部  Ｉ／Ｆ１０３は、操作部１０２とＣＰＵ１０１とを接続するインタフェースである。プリントエンジン部１０４は、ＣＰＵ１０１の制御に基づき画像データを印刷出力する。ＲＯＭ１０５は、プログラム、予め定められた設定値等を記憶する。ＲＡＭ１０６は、ＣＰＵ１０１の主メモリ、ワークエリア等の一時記憶領域として用いられる。例えば、ＲＡＭ１０６には、プリントエンジン部１０４に印刷出力するための画像イメージが一時的に蓄積される。不揮発性メモリ１０７は、ハードディスク（ＨＤＤ）やフラッシュＲＯＭ等で構成され、プリントエンジン部１０４に印刷出力するための画像イメージを一時的に蓄積したり、プログラムや、印刷履歴等を記憶したりする。ＬＡＮ  Ｉ／Ｆ１０８は、レーザープリンタ１００をＬＡＮ１１１に接続するためのインタフェースであり、ＬＡＮ１１１を介してＰＣ１１０等との外部装置との画像データ等の受信を可能とする。ＰＣ１１０はパーソナルコンピュータであり、ＬＡＮ１１１を介してレーザープリンタ１００に接続される。
ＣＰＵ１０１がＲＯＭ１０５、不揮発性メモリ１０７に記憶されたプログラムに基づき処理を実行することによってレーザープリンタ１００の機能及び後述する図３〜図５に示すフローチャートの処理が実現される。
【００１０】
図２は、トナーやドラムのカートリッジの交換時期が近づいた場合に、ＣＰＵ１０１が操作部１０２の液晶表示部へ表示する交換を促すメッセージを示す図である。以下、説明の簡略化のため、操作部１０２の液晶表示部を単に操作部１０２として説明を行う。ＣＰＵ１０１は、トナー残量がトナー残量の設定値より少なくなった場合、トナー残量が少なくなったと判定し、判定結果をＲＡＭ１０６に一時的に記憶する。ＣＰＵ１０１は、後述する表示に係る情報処理とは、別途、トナー残量が少なくなったか否かの判定処理を実行し、判定結果をＲＡＭ１０６に一時的に記憶する。また、ＣＰＵ１０１は、４色に対応するトナーそれぞれに対して、トナー残量がトナー残量の設定値より少なくなったか否かの判定処理を実行し、判定結果をそれぞれＲＡＭ１０６に一時的に記憶する。また、ＣＰＵ１０１は、ドラムの走行距離がドラムの走行距離の設定値より長くなった場合、ドラムの劣化が発生したと判定し、判定結果をＲＡＭ１０６に一時的に記憶する。ＣＰＵ１０１は、後述する表示に係る情報処理とは、別途、ドラムの劣化が発生したか否かの判定処理を実行し、判定結果をＲＡＭ１０６に一時的に記憶する。また、ＣＰＵ１０１は、４色に対応するドラムそれぞれに対して、ドラムの走行距離がドラムの走行距離の設定値より長くなっているか否かの判定処理を実行し、判定結果をそれぞれＲＡＭ１０６に一時的に記憶する。トナー残量の設定値、ドラムの走行距離の設定値は、ＲＯＭ１０５に記憶されていてもよいし、不揮発性メモリ１０７に記憶されていてもよい。また、トナー残量が少なくなったか否かの判定方法、及びドラムの劣化が発生したか否かの判定方法は、これらに限定するものではない。例えば、ドラムの回転数に基づき、ドラムの劣化が発生したか否かを判定するようにしてもよい。
【００１１】
図２では、操作部１０２がメッセージの全てを表示するには十分な大きさがなく、縦方向に数行の文字列しか表示できないため、２行以上のメッセージを表示する場合は画面を切り替えて表示している例を示している。
図２（ａ）は、一体型カートリッジの場合のメッセージの表示例である。
ＣＰＵ１０１は、トナー残量が少なくなった、又はドラムの劣化が発生したと判定すると、交換を促すメッセージを含む画面を操作部１０２に表示する。ＣＰＵ１０１は、一体型カートリッジであるため、ブラック（Ｋと表示）、シアン（Ｃと表示）、マゼンタ（Ｍと表示）、イエロー（Ｙと表示）とトナーの色を示す最大４つのメッセージをそれぞれの画面で表示する。
図２（ｂ）は、分離型カートリッジの場合のメッセージの表示例（その１）であり、ドラムはトナーと同様に４色に別れている場合の例である。
ＣＰＵ１０１は、トナー残量が少なくなったと判定すると、トナーの色を示す最大４つのメッセージをそれぞれの画面で表示する。
また、ＣＰＵ１０１は、ドラムの劣化が発生したと判定すると、ドラムの色を示す最大４つのメッセージをそれぞれの画面で表示する。
【００１２】
図２（ｃ）は、分離型カートリッジの場合のメッセージの表示例（その２）であり、ドラムはトナーと異なり４色に別れておらず、共通品である場合の例である。
ＣＰＵ１０１は、トナー残量が少なくなったと判定すると、トナーの色を示す最大４つのメッセージをそれぞれの画面で表示する。
また、ＣＰＵ１０１は、ドラムの劣化が発生したと判定すると、ドラムの色を示す代わりに１から４までの番号を付けて最大４つのメッセージをそれぞれの画面で表示する。
図２（ｄ）は、分離型カートリッジの場合のメッセージの表示例（その３）であり、ドラムはトナーと異なり４色に別れておらず、共通品である場合の例である。
ＣＰＵ１０１は、トナー残量が少なくなったと判定すると、トナーの色を示す最大４つのメッセージをそれぞれの画面で表示する。
また、ＣＰＵ１０１は、ドラムの劣化が発生したと判定すると、交換が必要なドラムの本数を示すメッセージを含む画面を表示する。
図２（ｃ）の表示では、トナーとドラムとで合わせて最大８つのメッセージの画面が交互に表示されるため判別しにくいが、図２（ｄ）ではドラムのメッセージが１つの画面にまとめられているため、判別しやすくなっている。
ＣＰＵ１０１は、ドラムは共通品である場合、メッセージを１つにまとめて本数を示すメッセージを１つの画面で表示したが、トナーは色が別れており本数表示すると交換が必要な色がわかりにくくなる。そのため、ＣＰＵ１０１は、トナーとドラムとでメッセージの表示方法を使い分けしている。
【００１３】
図２（ｅ）は、ドラム交換を行う場合のメッセージの表示例である。
図２（ｄ）では、交換を促す表示であるため本数を示すメッセージを表示したが、ＣＰＵ１０１は、ドラム交換時は交換対象となるドラムを明示してわかるようにメッセージを表示する。即ち、ＣＰＵ１０１は、ドラムカートリッジの交換時は交換対象の複数のドラムカートリッジをそれぞれ識別するドラム１、ドラム２、ドラム３、ドラム４等を一の画面で操作部１０２に表示する。図２（ｅ）のドラム１、ドラム２、ドラム３、ドラム４等は、交換対象の複数のドラムカートリッジをそれぞれ識別する識別情報の一例である。
本実施形態では、ＣＰＵ１０１は、交換を促す場合のメッセージとして図２（ｄ）を、ドラム交換時のメッセージとして図２（ｅ）の使い分け、図２（ｄ）においてドラムの交換を促すメッセージを１つの画面にまとめて表示する処理を行う。
【００１４】
図３は、第１の実施形態の表示に係る情報処理の一例を示すフローチャートである。操作部１０２へトナー、ドラムの交換を促すメッセージを表示する場合に図３に示すフローチャートの処理が開始される。
Ｓ１０１では、ＣＰＵ１０１は、トナー全本数の残量をチェックする。より具体的に説明すると、ＣＰＵ１０１は、ＲＡＭ１０６に記憶されている各トナーのトナー残量が少なくなったか否かの判定結果を取得することで、トナー全本数の残量をチェックする。
Ｓ１０２では、ＣＰＵ１０１は、トナー全本数分の処理を行ったか否かを判定する。ＣＰＵ１０１は、トナー全本数分の処理を行ったと判定した場合（Ｓ１０２においてＹｅｓ）、Ｓ１０４に進み、トナー全本数分の処理を行っていないと判定した場合（Ｓ１０２においてＮｏ）、Ｓ１０３に進む。
Ｓ１０３では、ＣＰＵ１０１は、Ｓ１０１のチェック結果に基づき、処理対象のトナーのトナー残量が少ないか否かを判定する。ＣＰＵ１０１は、処理対象のトナーのトナー残量が少ないと判定すると（Ｓ１０３においてＹｅｓ）、Ｓ１０４に進み、処理対象のトナーのトナー残量が少なくないと判定すると（Ｓ１０３においてＮｏ）、Ｓ１０２に戻る。
Ｓ１０４では、ＣＰＵ１０１は、処理対象のトナーのトナー残量が少なくなった旨のメッセージの画面を操作部１０２に表示する。
【００１５】
Ｓ１０５では、ＣＰＵ１０１は、ドラム全本数の劣化の発生をチェックする。より具体的に説明すると、ＣＰＵ１０１は、ＲＡＭ１０６に記憶されている各ドラムの劣化が発生したか否かの判定結果を取得することで、ドラム全本数の劣化の発生をチェックする。
Ｓ１０６では、ＣＰＵ１０１は、ドラム全本数の処理を行ったか否かを判定する。ＣＰＵ１０１は、ドラム全本数の処理を行っていないと判定した場合（Ｓ１０６においてＮｏ）、Ｓ１０７に進み、ドラム全本数の処理を行ったと判定した場合（Ｓ１０６においてＹｅｓ）、Ｓ１０９に進む。
Ｓ１０７では、ＣＰＵ１０１は、Ｓ１０５のチェック結果に基づき、処理対象のドラムに劣化が発生したか否かを判定する。ＣＰＵ１０１は、処理対象のドラムに劣化が発生したと判定すると（Ｓ１０７においてＹｅｓ）、Ｓ１０８に進み、処理対象のドラムに劣化が発生しないと判定すると（Ｓ１０７においてＮｏ）、Ｓ１０６に戻る。
Ｓ１０８では、ＣＰＵ１０１は、ドラムの交換を促す本数をカウントする。
Ｓ１０７及びＳ１０８の処理は、トナーカートリッジと分離しているドラムカートリッジのうち交換が必要なドラムカートリッジの本数を取得する処理の一例である。
Ｓ１０９では、ＣＰＵ１０１は、ドラムの交換を促す本数を含むドラムの交換を促すメッセージの画面を操作部１０２に表示する。そして、ＣＰＵ１０１は、図３に示すフローチャートの処理を終了する。
【００１６】
本実施形態の処理によれば、トナーとドラムとが分離しておりドラム単体を交換することができ、共通品となる２本以上のドラムを搭載した場合において、交換時期が近づいた複数本のドラムを本数でメッセージ表示してわかり易くすることができる。
【００１７】
＜第２の実施形態＞
第１の実施形態では、図３において交換を促すドラムの合計本数でメッセージを表示する処理について説明した。
本実施形態では、カラー印刷時に複数本のドラムが同時に回転しドラムの走行距離が同一又は設定された範囲内となるため同等に消耗すると判定し１本でもドラムの劣化が発生すると同時に回転する複数本のドラムの交換を促すメッセージを表示する処理を説明する。
第２の実施形態では、１本単位ではなく複数本の交換を同時に促す。
【００１８】
図４は、第２の実施形態の表示に係る情報処理の一例を示すフローチャートである。操作部１０２へトナー、ドラムの交換を促すメッセージを表示する場合に図４に示すフローチャートの処理が開始される。
図４のＳ１０１〜Ｓ１０９の処理は図３と同一であるため説明を省略する。
図３のフローチャートの処理との違いは、ＣＰＵ１０１が図４のＳ２０１において単色印刷が行われていないと判定した場合、Ｓ２０２以降において１本でもドラムの劣化が発生すると同時に回転する複数本のドラムの交換を促すメッセージを表示する点である。
通常の印刷は、ブラック、シアン、マゼンタ、イエローの４色を合成することで複数色の印刷を行うが、単色印刷は１色だけでの印刷であり、例えばシアン色だけで印刷した場合等を示す。
単色印刷では１色のトナーと対になるドラムだけしか動作しない。そのため、ＣＰＵ１０１は、各ドラムの走行距離と劣化の発生状態が変わってくるため、複数本のドラムの交換を促すメッセージを表示は行わないように切り替える必要がある。
【００１９】
Ｓ２０１では、ＣＰＵ１０１は、単色印刷が行われたか否かを判定する。ＣＰＵ１０１は、単色印刷が行われたと判定した場合（Ｓ２０１においてＹｅｓ）、Ｓ１０６以降で第１の実施形態の図３と同様の処理を行う。
ＣＰＵ１０１は、単色印刷が行われていないと判定した場合（Ｓ２０１においてＮｏ）、Ｓ２０２に進む。Ｓ２０２では、ＣＰＵ１０１は、Ｓ１０５のチェック結果に基づき、ブラックのドラムの劣化が発生したか否かを判定する。利用頻度の高いモノクロ印刷はブラック色による単色印刷となり、ブラックだけドラムを消耗するため、ブラック以外の色とは別処理としている。ＣＰＵ１０１は、ブラックのドラムの劣化が発生したと判定した場合（Ｓ２０２においてＹｅｓ）、Ｓ２０３に進み、ブラックのドラムの劣化が発生しないと判定した場合（Ｓ２０２においてＮｏ）、Ｓ２０４に進む。
Ｓ２０３では、ＣＰＵ１０１は、ブラックのドラムの交換を促すメッセージを含む画面を操作部１０２に表示する。
Ｓ２０４では、ＣＰＵ１０１は、Ｓ１０５のチェック結果に基づき、ブラック以外のドラムの劣化が発生したか否かを判定する。ＣＰＵ１０１は、ブラック以外のドラムの劣化が発生したと判定した場合（Ｓ２０４においてＹｅｓ）、Ｓ２０５に進み、ブラック以外のドラムの劣化が発生しないと判定した場合（Ｓ２０４においてＮｏ）、図４に示すフローチャートの処理を終了する。Ｓ２０４の処理は、ブラックドラムカートリッジ以外のドラムカートリッジで交換の必要があるカートリッジがあるか否かを判定する処理の一例である。
Ｓ２０５では、ＣＰＵ１０１は、ブラックドラム以外の全本数の交換を促すメッセージを表示する。そして、ＣＰＵ１０１は、図４に示すフローチャートの処理を終了する。
【００２０】
本実施形態の処理によれば、ＣＰＵ１０１は、カラー印刷の場合、ブラックドラム以外のドラムが１本でも劣化が発生する場合、複数本のドラムの走行距離が同一となるため他のドラムも同等に消耗すると判定し、複数本のドラムの交換を同時に促すことができる。
【００２１】
＜第３の実施形態＞
第１の実施形態では、ドラムの劣化が発生している合計本数で交換を促すメッセージを表示する処理について説明した。第２の実施形態では、カラー印刷の場合、ブラックドラム以外のドラムが１本でも劣化が発生する場合、複数本の交換を同時に促すメッセージを表示する処理について説明した。
本実施形態では、ドラムが共通品であるか否かの判定と、複数本のドラムが同等に消耗するか否かを判定して、メッセージの表示方法を切り替える処理を説明する。
本実施形態では、ドラムの性能等に合わせて、交換を促すメッセージを自動で切り替える。
【００２２】
図５は、第３の実施形態の表示に係る情報処理の一例を示すフローチャートである。操作部１０２へトナー、ドラムの交換を促すメッセージを表示する場合に図５に示すフローチャートの処理が開始される。
図５のＳ１０１〜１０９の処理は図３と同一であるため説明を省略する。
図５のＳ２０１〜２０５の処理は図４と同一であるため説明を省略する。
Ｓ３０１では、ＣＰＵ１０１は、ドラムが共通品か否かを判定する。ＣＰＵ１０１は、ドラムが共通品であると判定すると（Ｓ３０１においてＹｅｓ）、Ｓ３０２に進み、ドラムが共通品でないと判定すると（Ｓ３０１においてＮｏ）、Ｓ３０３に進む。ドラムが共通品か否かは、ＲＯＭ１０５、又は不揮発性メモリ１０７に記憶されている設定ファイル等に記述されているものとする。ＣＰＵ１０１は、設定ファイルの記述に基づき、ドラムが共通品か否かを判定する。但し、ドラムが共通品か否かの判定方法はこれに限定されるものではない。ＣＰＵ１０１は、プリントエンジン部１０４に種類について問い合わせを行い、プリントエンジン部１０４の種類に基づき、ドラムの性能を特定し、ドラムが共通品か否かを判定するようにしてもよい。
Ｓ３０３では、ＣＰＵ１０１は、ドラム全本数の処理を行ったか否かを判定する。ＣＰＵ１０１は、ドラム全本数の処理を行っていないと判定した場合（Ｓ３０３においてＮｏ）、Ｓ３０４に進み、ドラム全本数の処理を行ったと判定した場合（Ｓ３０３においてＹｅｓ）、図５に示すフローチャートの処理を終了する。
Ｓ３０４では、ＣＰＵ１０１は、Ｓ１０５のチェック結果に基づき、処理対象のドラムに劣化が発生したか否かを判定する。ＣＰＵ１０１は、処理対象のドラムに劣化が発生したと判定すると（Ｓ３０４においてＹｅｓ）、Ｓ３０５に進み、処理対象のドラムに劣化が発生しないと判定すると（Ｓ３０４においてＮｏ）、Ｓ３０３に戻る。
Ｓ３０５では、ＣＰＵ１０１は、処理対象のドラムの交換を促すメッセージの画面を操作部１０２に表示する。
【００２３】
Ｓ３０２では、ＣＰＵ１０１は、ドラムが同等に消耗するか否かを判定する。ＣＰＵ１０１は、ドラムが同等に消耗すると判定すると（Ｓ３０２においてＹｅｓ）、Ｓ２０１に進み、ドラムが同等に消耗しないと判定すると（Ｓ３０２においてＮｏ）、Ｓ１０６に進む。ドラムが同等に消耗するか否かは、ＲＯＭ１０５、又は不揮発性メモリ１０７に記憶されている設定ファイル等に記述されているものとする。ＣＰＵ１０１は、設定ファイルの記述に基づき、ドラムが同等に消耗するか否かを判定する。但し、ドラムが同等に消耗するか否かの判定方法はこれに限定されるものではない。ＣＰＵ１０１は、プリントエンジン部１０４に種類について問い合わせを行い、プリントエンジン部１０４の種類に応じて、ドラムの性能を特定し、ドラムが同等に消耗するか否かを判定するようにしてもよい。ドラムが同等に消耗するか否かは、各ドラムの走行距離、又は回転数が設定された範囲内に収まるか否かと同じである。
【００２４】
本実施形態の処理によれば、ＣＰＵ１０１は、ドラムの性能等に合わせて、交換を促すメッセージを自動で切り替えることができる。
【００２５】
＜その他の実施形態＞
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００２６】
以上、本発明の実施形態の一例について詳述したが、本発明は係る特定の実施形態に限定されるものではない。例えば、レーザープリンタ１００のハードウェア構成として、ＣＰＵに替えてＧＰＵ（Ｇｒａｐｈｉｃｓ  Ｐｒｏｃｅｓｓｉｎｇ  Ｕｎｉｔ）を用いることとしてもよい。
【００２７】
以上、上述した各実施形態の処理によれば、レーザープリンタ１００の操作部１０２におけるドラムのカートリッジの交換に係るメッセージの表示をわかりやすくすることができる。
【符号の説明】
【００２８】
１００  レーザープリンタ
１０１  ＣＰＵ
１０２  操作部
【図１】
2018180093.tif 000003
【図２】
2018180093.tif 000004
【図３】
2018180093.tif 000005
【図４】
2018180093.tif 000006
【図５】
2018180093.tif 000007